(57)【要約】【課題】標識支柱を簡単にかつ強固に取り付けることができる標識支柱取付具を提供する。【解決手段】標識支柱バンド１１と、支持支柱バンド１２と、これらを接続固定する固定ボルト１３とを備える。標識支柱バンド１１は、一対の半円状の標識緊締部１１Ａと、その一端側に延設された標識突片１１Ｃとを有し、支持支柱バンド１２は、一対の半円状の支持緊締部１２Ａと、その一端側に延設された支持突片１２Ｃとを有する。標識突片１１Ｃと支持突片１２Ｃの長さは同一であり、それらの一方の外側同士を当接して、固定ボルト１３で接続固定する。【選択図】図１
0003205736.tif 000002
【実用新案登録請求の範囲】
【請求項１】
標識支柱を支持支柱に取り付けるための標識支柱取付具であって、
標識支柱に取り付けられる標識支柱バンドと、支持支柱に取り付けられる支持支柱バンドと、前記標識支持バンドと前記支持支柱バンドとを接続固定する固定ボルトとを備え、
前記標識支柱バンドは、標識支柱に配設される一対の相対する半円状の標識緊締部を有し、この一対の標識緊締部は、一端側が互いに接近又は離間するように他端側において回動可能に接合され、一端側には標識固定ボルト孔が設けられた標識突片が相対してそれぞれ延設されており、
前記支持支柱バンドは、支持支柱に配設される一対の相対する半円状の支持緊締部を有し、この一対の支持緊締部は、一端側が互いに接近又は離間するように他端側において回動可能に接合され、一端側には支持固定ボルト孔が設けられた支持突片が相対してそれぞれ延設されており、
前記標識突片の長さと前記支持突片の長さとは同一であり、
前記標識突片と前記支持突片とは、前記標識突片の基端側に前記支持突片の先端側を対応させ、かつ、前記標識突片の先端側に前記支持突片の基端側を対応させて、前記標識突片の一方の外側と、前記支持突片の一方の外側とを当接して配設され、
前記標識固定ボルト孔は、前記標識突片の突出方向に２個並べて設けられ、
前記支持固定ボルト孔は、前記標識固定ボルト孔に対応して、前記支持突片の突出方向に２個並べて設けられ、
対応する前記標識固定ボルト孔及び前記支持固定ボルト孔を貫通して前記固定ボルトが配設される
ことを特徴とする標識支柱取付具。
【請求項２】
前記標識支柱バンド及び前記支持支柱バンドは、鋼製であることを特徴とする請求項１記載の標識支柱取付具。
【考案の詳細な説明】
【技術分野】
【０００１】
本考案は、視線誘導標等の標識支柱を支持支柱に取付けるための標識支柱取付具に関する。
【背景技術】
【０００２】
一般に、視線誘導標、距離標、非常電話案内標識、又は、投排雪禁止標識等の標識を道路に設置する際には、道路に設置されたガードレール又はガードケーブル等の防護柵の柵支柱を支持支柱とし、この支持支柱に標識支柱を取り付けることにより設置している。標識支柱の支持支柱に対する取り付けは、例えば、図２に示したような親子バンド１００が用いられている。この親子バンド１００は、標識支柱を保持する標識支柱バンド１１０と、支持支柱に配設する支持支柱バンド１２０とを備えている。標識支柱バンド１１０は、開環状のバンド１１１であり、その開口縁に突片１１２が相対して外方に延設されている。支持支柱バンド１２０は、両端部に締付片１２１を有する一対の半円状バンド１２２である。この親子バンド１００は、例えば、支持支柱を支持支柱バンド１２０で挟み、一端側の締付片１２１をボルト１３０により締付固定すると共に、標識支柱バンド１１０で標識支柱を挟み、突片１１２と他端側の締付片１２１とを重ねてボルト１３０により締付固定することにより、標識支柱を支持支柱に配設するようになっている。
【先行技術文献】
【特許文献】
【０００３】
【特許文献１】実願２０１６−１１７０号
【考案の概要】
【考案が解決しようとする課題】
【０００４】
この親子バンド１００は、部品点数も少なく、簡単に取り付けることができるという利点があるが、その一方で、経年によりボルト１３０が緩みやすく、支持支柱バンド１２０が支持支柱の周りで回ってしまうという問題があった。これは、標識支柱バンド１１０の一対の突片１１２が基端側は間隔を開け、先端側は当接するように斜めに伸びているので、支持支柱バンド１２０の締付片１２１との間に隙間ができてしまい、強固に固定することができないのではないかと考えられる。
【０００５】
なお、特許文献１には、標識支柱を保持する標識支柱バンドと、この標識支柱バンドを柵支柱に対して固定する固定部材とを備えた標識支持取付具が記載されている。標識支柱バンドは、一対の半円状の緊締部を有し、緊締部の一端側には突片が延設され、他端側は回動可能に接合されており、突片を柵支柱に配設された板状の固定部材に対してボルトで固定するようになっている。この標識支持取付具によれば、板状の固定部材を用いるので、従来に比べて標識支柱を強固に固定することができる。しかしながら、十分とは言えずさらなる改善が望まれていた。
【０００６】
本考案は、このような問題に基づきなされたものであり、標識支柱を簡単にかつ強固に取り付けることができる標識支柱取付具を提供することを目的とする。
【課題を解決するための手段】
【０００７】
本考案の標識支柱取付具は、標識支柱を支持支柱に取り付けるためのものであって、標識支柱に取り付けられる標識支柱バンドと、支持支柱に取り付けられる支持支柱バンドと、標識支持バンドと支持支柱バンドとを接続固定する固定ボルトとを備え、標識支柱バンドは、標識支柱に配設される一対の相対する半円状の標識緊締部を有し、この一対の標識緊締部は、一端側が互いに接近又は離間するように他端側において回動可能に接合され、一端側には標識固定ボルト孔が設けられた標識突片が相対してそれぞれ延設されており、支持支柱バンドは、支持支柱に配設される一対の相対する半円状の支持緊締部を有し、この一対の支持緊締部は、一端側が互いに接近又は離間するように他端側において回動可能に接合され、一端側には支持固定ボルト孔が設けられた支持突片が相対してそれぞれ延設されており、標識突片の長さと支持突片の長さとは同一であり、標識突片と支持突片とは、標識突片の基端側に支持突片の先端側を対応させ、かつ、標識突片の先端側に支持突片の基端側を対応させて、標識突片の一方の外側と、支持突片の一方の外側とを当接して配設され、標識固定ボルト孔は、標識突片の突出方向に２個並べて設けられ、支持固定ボルト孔は、標識固定ボルト孔に対応して、支持突片の突出方向に２個並べて設けられ、対応する標識固定ボルト孔及び支持固定ボルト孔を貫通して固定ボルトが配設されるものである。
【考案の効果】
【０００８】
本考案の標識支柱取付具によれば、標識支柱バンドの標識突片の長さと支持支柱バンドの支持突片の長さとを同一とし、それらの一方の外側同士を当接して、固定ボルトで接続固定するようにしたので、標識突片と支持突片とを面接合させることができる。また、標識突片と支持突片の当接していない他方同士を平行とすることができる。よって、標識突片と支持突片とを固定ボルトにより強固に固定することができる。従って、標識支柱を支持支柱に強固に取り付けることができる。
【０００９】
更に、標識突片の突出方向に標識固定ボルト孔を２個並べて設け、これに対応して支持突片の突出方向に支持固定ボルト孔を２個並べて設けるようにしたので、標識突片が支持突片に対して回転することを防止することができ、より強固に固定することができる。
【００１０】
加えて、標識支柱バンド及び支持支柱バンドを鋼製とすれば、より強度を向上させることができる。
【図面の簡単な説明】
【００１１】
【図１】本考案の一実施の形態に係る標識支柱取付具の構成を表す図である。
【図２】従来の標識支柱取付具の構成を表す図である。
【考案を実施するための形態】
【００１２】
以下、本考案の実施の形態について、図面を参照して詳細に説明する。
【００１３】
図１は、本考案の一実施の形態に係る標識支柱取付具１０の構成を表すものである。図１（Ａ）は横から見た構成を表し、図１（Ｂ）は水平方向の断面構成を表している。この標識支柱取付具１０は、標識支柱２１を支持支柱２２に取り付けるためのものであり、標識支柱２１に取り付けられる標識支柱バンド１１と、支持支柱２２に取り付けられる支持支柱バンド１２と、標識支持バンド１１と支持支柱バンド１２とを接続固定する固定ボルト１３とを備えている。支持支柱２２としては、例えば、ガードケーブルやガードレール等の防護柵の柵支柱が用いられる。
【００１４】
標識支柱バンド１１は、標識支柱２１に配設される一対の相対する半円状の標識緊締部１１Ａを有している。この一対の標識緊締部１１Ａは、一端側が互いに接近又は離間するように他端側において蝶番等により回動可能に接合されている。各標識緊締部１１Ａには、例えば、周方向に沿って、外側に突出するように設けられた突状部１１Ｂが少なくとも１つ設けられていることが好ましい。強度を向上させることができるからである。なお、突条部１１Ｂは設けなくてもよい。
【００１５】
標識緊締部１１Ａの一端側には、一対の標識突片１１Ｃが相対してそれぞれ延設されている。この一対の標識突片１１Ｃは、一対の標識緊締部１１Ａの一端側を近づけた時に、標識突片１１Ｃの基端側には間隔が設けられ、先端側は接近するように斜めに形成されている。各標識突片１１Ｃには、固定ボルト１３を挿入するための標識固定ボルト孔１１Ｄがそれぞれ対応して設けられている。標識支柱バンド１１は、各標識突片１１Ｃを近づけて固定ボルト１３で固定することにより、標識支柱２１に取り付けられるようになっている。標識固定ボルト孔１１Ｄは、各標識突片１１Ｃにおいて、標識突片１１Ｃの突出方向に２個並べて設けられている。
【００１６】
支持支柱バンド１２は、支持支柱２２に配設される一対の相対する半円状の支持緊締部１２Ａを有している。この一対の支持緊締部１２Ａは、一端側が互いに接近又は離間するように他端側において蝶番等により回動可能に接合されている。各支持緊締部１２Ａには、例えば、周方向に沿って、外側に突出するように設けられた突状部１２Ｂが少なくとも１つ設けられていることが好ましい。強度を向上させることができるからである。
【００１７】
支持緊締部１２Ａの一端側には、一対の支持突片１２Ｃが相対してそれぞれ延設されている。この一対の支持突片１２Ｃは、一対の支持緊締部１２Ａの一端側を近づけた時に、支持突片１２Ｃの基端側には間隔が設けられ、先端側は接近するように斜めに形成されている。各支持突片１２Ｃには、固定ボルト１３を挿入するための支持固定ボルト孔１２Ｄがそれぞれ対応して設けられている。支持支柱バンド１２は、各支持突片１２Ｃを近づけて固定ボルト１３で固定することにより、支持支柱２２に取り付けられるようになっている。支持固定ボルト孔１２Ｄは、各支持突片１２Ｃにおいて、支持突片１２Ｃの突出方向に２個並べて設けられている。
【００１８】
標識突片１１Ｃの長さと支持突片１２Ｃの長さとは同一とされている。標識突片１１Ｃと支持突片１２Ｃとは、標識突片１１Ｃの基端側に支持突片１２Ｃの先端側を対応させ、かつ、標識突片１１Ｃの先端側に支持突片１２Ｃの基端側を対応させて、標識突片１１Ｃの一方の外側と、支持突片１２Ｃの一方の外側とを当接して配設される。これにより、標識突片１１Ｃと支持突片１２Ｃの一方同士は面接合し、標識突片１１Ｃと支持突片１２Ｃの当接していない他方同士は平行となっている。
【００１９】
また、標識固定ボルト孔１１Ｄと支持固定ボルト孔１２Ｄとは、互いに対応して設けられている。対応する標識固定ボルト孔１１Ｄ及び支持固定ボルト孔１２Ｄを貫通して固定ボルト１３が配設されることにより、標識突片１１Ｃと支持突片１２Ｃとは接続固定される。
【００２０】
なお、標識支柱バンド１１及び支持支柱バンド１２は、鋼製であることが好ましい。強度を向上させることができるからである。
【００２１】
この標識支柱取付具１０は、例えば、次のようにして用いられる。まず、標識支柱バンド１１の一対の標識緊締部１１Ａを開き、間に標識支柱２１を挟んで閉じる。また、支持支柱バンド１２の一対の支持緊締部１２Ａを開き、間に支持支柱２２を挟んで閉じる。次いで、標識突片１１Ｃの基端側に支持突片１２Ｃの先端側を対応させ、かつ、標識突片１１Ｃの先端側に支持突片１２Ｃの基端側を対応させて、標識突片１１Ｃの一方の外側と、支持突片１２Ｃの一方の外側とを当接させ、標識固定ボルト孔１１Ｄ及び支持固定ボルト孔１２Ｄに固定ボルト１３を挿入して固定する。これにより、標識支柱１１を支持支柱１２に取り付ける。
【００２２】
このように本実施の形態によれば、標識支柱バンド１１の標識突片１１Ｃの長さと支持支柱バンド１２の支持突片１２Ｃの長さとを同一とし、それらの一方の外側同士を当接して、固定ボルト１３で接続固定するようにしたので、標識突片１１Ｃと支持突片１２Ｃとを面接合させることができる。また、標識突片１１Ｃと支持突片１２Ｃの当接していない他方同士を平行とすることができる。よって、標識突片１１Ｃと支持突片１２Ｃとを固定ボルト１３により強固に固定することができる。従って、標識支柱２１を支持支柱２２に強固に取り付けることができる。
【００２３】
更に、標識突片１１Ｃの突出方向に標識固定ボルト孔１１Ｄを２個並べて設け、これに対応して支持突片１２Ｃの突出方向に支持固定ボルト孔１２Ｄを２個並べて設けるようにしたので、標識突片１１Ｃが支持突片１２Ｃに対して回転することを防止することができ、より強固に固定することができる。
【００２４】
加えて、標識支柱バンド１１及び支持支柱バンド１２を鋼製とすれば、より強度を向上させることができる。
【００２５】
以上、実施の形態を挙げて本考案を説明したが、本考案は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００２６】
１０…標識支柱取付具、１１…標識支柱バンド、１１Ａ…標識緊締部、１１Ｂ…突状部、１１Ｃ…標識突片、１１Ｄ…標識固定ボルト孔、１２…支持支柱バンド、１２Ａ…支持緊締部、１２Ｂ…突状部、１２Ｃ…支持突片、１２Ｄ…支持固定ボルト孔、１３…固定ボルト、２１…標識支柱、２２…支持支柱
【図１】
0003205736.tif 000003
【図２】
0003205736.tif 000004